(57)【要約】【課題】皺などが生じてしまうことを防止でき、かつ、コンパクトに収納できる表具を提供すること。【解決手段】表具１は、矩形状とされた第１シートと、第１シートと略同形状とされ、第１シートの裏面に貼付されて第１シートを裏打ちする第２シート１２と、第１シートおよび第２シート１２の長辺側の端部が裏面側に折り返されて筒状に形成された筒状部１５と、筒状部１５に着脱可能に挿入される棒状部材２０と、を備え、筒状部１５には、第１シートおよび第２シート１２の裏面側において、複数の切れ込み部１５１Ｂ，１５２Ｂが所定の間隔で形成されている。【選択図】図２
0003225036.tif 000002
【実用新案登録請求の範囲】
【請求項１】
矩形状とされた第１シートと、
前記第１シートと略同形状とされ、前記第１シートの裏面に貼付されて前記第１シートを裏打ちする第２シートと、
前記第１シートおよび前記第２シートの長辺側の端部が裏面側に折り返されて筒状に形成された筒状部と、
前記筒状部に着脱可能に挿入される棒状部材と、を備え、
前記筒状部には、前記第１シートおよび前記第２シートの裏面側において、複数の切れ込み部が所定の間隔で形成されている
ことを特徴とする表具。
【請求項２】
請求項１に記載の表具において、
前記筒状部は、前記第１シートおよび前記第２シートの一方の長辺側に形成される第１筒状部と、他方の長辺側に形成される第２筒状部とを有する
ことを特徴とする表具。
【請求項３】
請求項１または請求項２に記載の表具において、
前記筒状部には開口部が形成されている
ことを特徴とする表具。
【請求項４】
請求項１から請求項３のいずれか一項に記載の表具において、
前記第１シートの表面には、書画が表示される
ことを特徴とする表具。
【請求項５】
請求項１から請求項４のいずれか一項に記載の表具において、
前記棒状部材は、折り畳み可能に構成されている
ことを特徴とする表具。
【考案の詳細な説明】
【技術分野】
【０００１】
本考案は、表具に関する。
【背景技術】
【０００２】
古来より、書や絵画等の作品を飾るために用いられる掛軸等の表具が知られている（例えば、特許文献１）。
【０００３】
特許文献１の掛軸では、表具の裏側に装着される磁性材から成る金属板と、表具の表側に配設され磁石を具備する板状の一文字とによって、書や絵画等が描かれた本紙を把持できるようにしている。これにより、本紙を掛軸に容易に仮止めできるようにしている。
【先行技術文献】
【特許文献】
【０００４】
【特許文献１】特開平１０−５２３４２号公報
【考案の概要】
【考案が解決しようとする課題】
【０００５】
ところで、表具の中には、大型の巻物仕立てで、書や絵画等を壁面等に横に掲げて鑑賞するための横披と呼ばれるものがある。
このような横披を壁面等に設置する際には、額等に入れられることがある。しかし、横披が大型である場合には、当該横披に応じた大型の額を用意する必要がある。そうすると、このような大型の額に入れられた横披を保管するのに、大きなスペースが必要となるといった問題がある。
【０００６】
そこで、横披の長辺側の端部を裏側に折り返して筒状部を形成し、当該筒状部に棒状部材を挿入する。そして、当該棒状部材を壁面等に設けた支持部に係合させることにより、横披を壁面等に設置することが考えられる。このようにすれば、横披を壁面から外した際に、筒状部から棒状部材を抜き出せば、横披を巻物状に収納できるので、保管する際のスペースを小さくすることができると考えられる。
【０００７】
しかし、上記のように横披を巻物状に巻こうとした場合に、長辺側の端部が折り返されて形成された筒状部は、折り返されて重ねられた分だけ他の部分よりも厚さが大きくなる。そうすると、筒状部を巻き込んだ際に嵩張ってしまうことから、当該筒状部に対応する位置が折れてしまい、皺が生じてしまうといった問題がある。
【０００８】
本考案の目的は、皺などが生じてしまうことを防止でき、かつ、コンパクトに収納できる表具を提供することにある。
【課題を解決するための手段】
【０００９】
本考案の表具は、矩形状とされた第１シートと、前記第１シートと略同形状とされ、前記第１シートの裏面に貼付されて前記第１シートを裏打ちする第２シートと、前記第１シートおよび前記第２シートの長辺側の端部が裏面側に折り返されて筒状に形成された筒状部と、前記筒状部に着脱可能に挿入される棒状部材と、を備え、前記筒状部には、前記第１シートおよび前記第２シートの裏面側において、複数の切れ込み部が所定の間隔で形成されていることを特徴とする。
【００１０】
このような本考案では、第１シートおよび第２シートの長辺側の端部が裏面側に折り返されて筒状に形成された筒状部を備えるので、当該筒状部に棒状部材を挿入し、当該棒状部材を壁面等に設けられた支持部に支持させることにより、壁面等に表具を設置することができる。
その上、本考案では、第１シートおよび第２シートの裏面側において、筒状部に複数の切れ込み部が所定の間隔で形成されている。そのため、このような表具を巻物状に巻こうとした際に、筒状部における嵩張りが生じる部分を当該切れ込み部に逃がすことができる。そのため、嵩張りによって筒状部に皺が生じることを防ぐことができる。すなわち、本考案の表具は、皺などが生じてしまうことを防止でき、かつ、コンパクトに収納できる。
【００１１】
本考案の表具において、前記筒状部は、前記第１シートおよび前記第２シートの一方の長辺側に形成される第１筒状部と、他方の長辺側に形成される第２筒状部とを有することが好ましい。
このような本考案では、例えば、壁面等に支持される棒状部材を第１筒状部に挿入し、重りとして作用する所謂軸木等の棒状部材を第２筒状部に挿入することにより、壁面等に表具を設置した際に、表具が弛んでしまうことを抑制できる。
【００１２】
本考案の表具において、前記筒状部には開口部が形成されていることが好ましい。
このような本考案では、棒状部材を筒状部に挿入した際に、開口部から棒状部材が露出する。この開口部から露出した棒状部材を、壁面等に設けられた支持部により支持することにより、表具を壁面等に設置することができる。
【００１３】
本考案の表具において、前記第１シートの表面には、書画が表示されることが好ましい。
このような本考案では、表具を壁面等に設置することにより、第１シートの表面に表示された書画を鑑賞することができる。
【００１４】
本考案の表具において、前記棒状部材は、折り畳み可能に構成されていることが好ましい。
このような本考案では、棒状部材が折り畳み可能に構成されているので、棒状部材をコンパクトに収納することができる。
【図面の簡単な説明】
【００１５】
【図１】本考案の一実施形態に係る表具の概略を示す正面図。
【図２】前記実施形態の表具の概略を示す背面図。
【図３】前記実施形態の表具の要部を示す拡大斜視図。
【図４】前記実施形態の本体部の収納方法を示す図。
【図５】前記実施形態の棒状部材の収納方法を示す図。
【考案を実施するための形態】
【００１６】
［実施形態］
以下、本考案の一実施形態に係る表具１を図面に基づいて説明する。なお、本実施形態では、表具１は、大型の巻物仕立てであり、書や絵画等を壁面等に横に掲げて鑑賞するための所謂横披として構成されている。
図１は、表具１の概略を示す正面図であり、図２は、表具１の概略を示す背面図である。
図１、２に示すように、表具１は、本体部１０と、棒状部材２０とを有する。
本体部１０は、平面視で矩形状に形成され、壁面等に設置されて鑑賞される部分である。本実施形態では、本体部１０は、第１シート１１と、第２シート１２と、軸木収納部１３と、軸木１４と、筒状部１５と、を備えている。
【００１７】
［第１シート１１］
第１シート１１は、平面視で矩形状とされ、表具１の表面側に配置されている。本実施形態では、第１シート１１は、和紙にて形成されている。なお、本実施形態における和紙は、ミツマタやコウゾ等の靭皮繊維を原料として手漉きで作られた所謂「和紙」だけでなく、パルプ、マニラ麻、合成繊維、不織布等から和紙の風合いを模して作られたものを含む。後述する、本紙１１１や第２シート１２を形成する和紙も同様である。
第１シート１１は、特に大きさが特定されるものではないが、例えば、長辺が約５０００ｍｍ、短辺が約２０００ｍｍの大型の長方形状であってもよい。また、第１シート１１は、和紙にて形成されることに限らず、例えば、布や洋紙等によって形成されていてもよい。
【００１８】
また、第１シート１１の表面には、本紙１１１が貼付されている。本実施形態では、本紙１１１は和紙にて形成されており、表面側に書が表示されている。これにより、表具１が壁面などに設置された際に、本紙１１１に表示された書を鑑賞することができる。
なお、本紙１１１は、上記構成に限られず、例えば、洋紙にて形成されていてもよい。また、本紙１１１の表面には、絵画や模様等が表示されていてもよい。
【００１９】
［第２シート１２］
第２シート１２は、平面視で第１シート１１と略同形状とされている。すなわち、第２シート１２は、平面視で矩形状に形成されている。そして、第２シート１２は、第１シート１１の裏面側に貼付されている。これにより、第１シート１１は、第２シート１２によって裏打ちされて補強される。
また、本実施形態では、第２シート１２は和紙にて形成されている。なお、第２シート１２は、上記構成に限られず、例えば、洋紙にて形成されていてもよい。
さらに、第２シート１２は、前述した第１シート１１と同様に、特に大きさが特定されるものではないが、例えば、長辺が約５０００ｍｍ、短辺が約２０００ｍｍの大型の長方形状であってもよい。
【００２０】
［軸木収納部１３］
軸木収納部１３は、第１シート１１および第２シート１２の短辺側の端部、すなわち、図１における左右の端部が裏面側に折り返され、第２シート１２の裏面に貼付されることにより、筒状に形成されている。そして、軸木収納部１３には、軸木１４が収納されている。
【００２１】
［軸木１４］
軸木１４は、前述したように、第１シート１１および第２シート１２の短辺側の端部に形成された軸木収納部１３に収納されている。これにより、当該軸木１４を中芯にして、第１シート１１および第２シート１２を巻物状に巻くことができる。
また、本実施形態では、軸木１４は、軸木本体１４１と、軸先１４２とを備えている。
軸木本体１４１は、棒状の部材であり、例えば、杉等の木材から形成される。なお、軸木本体１４１は、上記構成に限られず、例えば、金属等から形成されていてもよい。
軸先１４２は、軸木本体１４１の両端部に取り付けられており、例えば、陶器や唐木等から形成されている。
【００２２】
［筒状部１５］
図３は、表具１の要部を示す拡大斜視図である。
図１〜図３に示すように、筒状部１５は、第１シート１１および第２シート１２の長辺側の端部、すなわち、図１における上下の端部が裏面側に折り返され、第２シート１２の裏面に貼付されることにより、筒状に形成されている。
本実施形態では、筒状部１５は、第１シート１１および第２シート１２の一方の長辺側、すなわち、図１における上側の端部に形成される第１筒状部１５１と、他方の長辺側、すなわち、図１における下側の端部に形成される第２筒状部１５２とを有する。
【００２３】
第１筒状部１５１には、後述する第１棒状部材２１が収納されている。また、第１筒状部１５１には、開口部１５１Ａが形成されている。本実施形態では、第１筒状部１５１に、開口部１５１Ａが３箇所形成されている。なお、第１筒状部１５１は、上記構成に限られず、例えば、開口部１５１Ａが１箇所形成されていてもよく、あるいは、４箇所以上形成されていてもよい。
また、第１筒状部１５１には、所定の間隔にて複数の切れ込み部１５１Ｂが形成されている。本実施形態では、約１ｍｍ程度の幅の切れ込みにて切れ込み部１５１Ｂが形成されている。なお、切れ込み部１５１Ｂが形成される所定の間隔は、特に特定されるものではないが、例えば、３０ｍｍ間隔で形成される。
【００２４】
第２筒状部１５２には、後述する第２棒状部材２２が収納されている。また、第２筒状部１５２には、開口部１５２Ａが形成されている。本実施形態では、第２筒状部１５２に、開口部１５２Ａが１箇所形成されている。なお、第２筒状部１５２は、上記構成に限られず、例えば、開口部１５２Ａが２箇所以上形成されていてもよい。
また、第２筒状部１５２には、前述した第１筒状部１５１と同様に、所定の間隔にて複数の切れ込み部１５２Ｂが形成されている。本実施形態では、約１ｍｍ程度の幅の切れ込みにて切れ込み部１５２Ｂが形成されている。なお、切れ込み部１５２Ｂが形成される所定の間隔は、特に特定されるものではないが、例えば、３０ｍｍ間隔で形成される。
【００２５】
［棒状部材２０］
棒状部材２０は、第１棒状部材２１と、第２棒状部材２２とを有している。
第１棒状部材２１は、前述した第１筒状部１５１に対して、着脱可能に挿入されている。そして、第１棒状部材２１は、第１筒状部１５１に挿入された状態において、開口部１５１Ａに対応する箇所が露出している。これにより、当該露出した箇所を、例えば、壁面等に設けられたフックＦ等と係合させることにより、表具１を壁面等に設置することができる。
また、本実施形態では、第１棒状部材２１は、後述するように折り畳み可能に構成されている。
【００２６】
第２棒状部材２２は、前述した第２筒状部１５２に対して、着脱可能に挿入されている。そして、本実施形態では、第２棒状部材２２は、表具１が壁面等に設置された際に、重りとして作用するように構成されている。これにより、表具１を壁面等に設置した際に、表具１が弛んでしまうことを防止できる。
また、本実施形態では、第２棒状部材２２は、第１棒状部材２１と同様に折り畳み可能に構成されている。
【００２７】
［本体部１０の収納方法について］
図４は、本体部１０の収納方法を示す図である。
図４に示すように、本体部１０は、筒状部１５から棒状部材２０を抜き出した状態で、一方の軸木１４を中芯にし、第１シート１１を内側にして巻物状に巻かれることで収納される。この際、筒状部１５は第１シート１１および第２シート１２はそれぞれ重ねられている、すなわち、シートが４枚重ねられた状態になる。そのため、筒状部１５は、他の部分に比べて厚さが大きくなる。
ここで、本実施形態では、筒状部１５に切れ込み部１５１Ｂ，１５２Ｂが形成されていることから、厚さの大きい筒状部１５を巻き込んだ際に、嵩張りが生じる部分を当該切れ込み部１５１Ｂ，１５２Ｂに逃がすことができる。そのため、嵩張りによって筒状部１５が折れてしまうことを防ぐことができ、筒状部１５に皺が生じることを防ぐことができる。
【００２８】
［棒状部材２０の収納方法］
図５は、棒状部材２０の収納方法、具体的には、第１棒状部材２１の収納方法を示す図である。
図５に示すように、第１棒状部材２１は、複数の棒状部２１１と、連結部２１２とを有する。
棒状部２１１は、ステンレス等の金属によって形成されており、内部が中空の筒状とされている。そして、各棒状部２１１は、連結部２１２によって直列に連結されている。
また、棒状部２１１は、一方の先端部２１１Ａが他の部分よりも細くなるように構成されている。これにより、隣り合う棒状部２１１は、一方の先端部２１１Ａが、他方の中空部分に挿入されて、係合可能とされている。このように、隣り合う棒状部２１１同士を係合させることにより、１本の第１棒状部材２１を組み立てられるように構成されている。なお、本実施形態では、各棒状部２１１を連結する連結部２１２がゴム等の弾性部材にて構成されている。そのため、連結部２１２は、第１棒状部材２１が組み立てられた際に、各棒状部２１１の係合状態が解除されないように付勢する。
このような第１棒状部材２１を収納する際は、各棒状部２１１の係合状態を解除すれば、各棒状部２１１に分かれてコンパクトになるので、収納しやすくできる。
なお、本実施形態では、第２棒状部材２２も、第１棒状部材２１と同様に構成されているので、容易に収納できる。
【００２９】
以上のような本実施形態では、以下の効果がある。
（１）本実施形態の表具１は、第１シート１１および第２シート１２の長辺側の端部が裏面側に折り返されて筒状に形成された筒状部１５を備える。そのため、当該筒状部１５に棒状部材２０を挿入し、当該棒状部材２０を壁面等に設けられたフックＦに支持させることにより、壁面等に表具１を設置することができる。
その上、本考案では、第１シート１１および第２シート１２の裏面側において、筒状部１５に複数の切れ込み部１５１Ｂ，１５２Ｂが所定の間隔で形成されている。そのため、このような表具１を巻物状に巻こうとした際に、筒状部１５における嵩張りが生じる部分を当該切れ込み部１５１Ｂ，１５２Ｂに逃がすことができる。そのため、嵩張りによって筒状部１５に皺が生じることを防ぐことができる。すなわち、本考案の表具１は、皺などが生じてしまうことを防止でき、かつ、コンパクトに収納できる。
【００３０】
（２）本実施形態では、壁面等に支持される第１棒状部材２１を第１筒状部１５１に挿入し、重りとして作用する第２棒状部材２２を第２筒状部１５２に挿入することにより、壁面等に表具１を設置した際に、表具１が弛んでしまうことを抑制できる。
【００３１】
（３）本実施形態では、第１棒状部材２１を第１筒状部１５１に挿入した際に、開口部１５１Ａから第１棒状部材２１が露出する。この開口部１５１Ａから露出した第１棒状部材２１を、壁面等に設けられたフックＦにより支持することにより、表具１を壁面等に設置することができる。
【００３２】
（４）本実施形態では、表具１を壁面等に設置することにより、第１シート１１の表面に表示された書を鑑賞することができる。
【００３３】
（５）本実施形態では、棒状部材２０が折り畳み可能に構成されているので、棒状部材２０をコンパクトに収納することができる。
【００３４】
［変形例］
なお、本考案は前述の実施形態に限定されるものではなく、本考案の目的を達成できる範囲での変形、改良等は本考案に含まれる。
前述した実施形態では、第１シート１１の表面に、書が表示された本紙１１１が貼付されていたが、これに限定されない。例えば、第１シートの表面に、書画や模様等が直接表示されていてもよい。
【００３５】
前述した実施形態では、第１シート１１および第２シート１２の短辺側の端部に軸木収納部１３が形成され、当該軸木収納部１３に軸木１４が収納されていたが、これに限定されない。例えば、締結部材等によって、第１シート１１および第２シート１２に軸木が直接取り付けられていてもよい。
また、前述した実施形態では、軸木１４は、軸木本体１４１と軸先１４２とを備えて構成されていたが、これに限定されない。例えば、軸木は軸先が設けられず、軸木本体のみから構成されていてもよい。
さらに、軸木が設けられていない場合も、本考案に含まれる。
【００３６】
前述した実施形態では、筒状部１５は、第１筒状部１５１と第２筒状部１５２とを有していたが、これに限定されない。例えば、筒状部は、上側の端部に形成される第１筒状部のみを有していてもよい。
【００３７】
前述した実施形態では、筒状部１５には、開口部１５１Ａ，１５２Ａが形成されていたが、これに限定されない。例えば、筒状部に開口部が形成されない場合も、本考案に含まれる。この場合、例えば、筒状部から端部が飛び出すように棒状部材を構成し、当該飛び出した部分を、壁面等に設けられた支持部によって支持するように構成してもよい。
【００３８】
前述した実施形態では、棒状部材２０は折り畳み可能に構成されていたが、これに限定されない。例えば、棒状部材が折り畳み不可能に構成されている場合も、本考案に含まれる。
【符号の説明】
【００３９】
１…表具、１０…本体部、１１…第１シート、１２…第２シート、１３…軸木収納部、１４…軸木、１５…筒状部、２０…棒状部材、２１…第１棒状部材、２２…第２棒状部材、１１１…本紙、１４１…軸木本体、１４２…軸先、１５１…第１筒状部、１５１Ａ…開口部、１５１Ｂ…切れ込み部、１５２…第２筒状部、１５２Ａ…開口部、１５２Ｂ…切れ込み部、２１１…棒状部、２１１Ａ…先端部、２１２…連結部。
【図１】
0003225036.tif 000003
【図２】
0003225036.tif 000004
【図３】
0003225036.tif 000005
【図４】
0003225036.tif 000006
【図５】
0003225036.tif 000007